(57)【要約】【課題】一対の収納室Ａを凹設した皿形態の容器本体２と、各収納室を閉塞して固着されたシート状の蓋板３とを備え、各収納室間のフランジ部４の両側に於いて折り曲げ可能に構成するとともに、フランジ部４に一対の注出溝９を設け、各注出溝部分の蓋板を切り起こし可能に構成した容器であって、収納物の注出に当たりその暴出を防止でき、しかも、容器の折り曲げ時に注出溝の歪み，閉塞等を極力防止できる簡易容器を提案する。【解決手段】各注出溝９内に、各稜線ａが各折り曲げ部位に位置する山形の遮蔽壁10を、蓋体と隙間をあけてそれぞれ設けた。【選択図】図１
2005335805.tif 000002
【特許請求の範囲】
【請求項１】
上端開口の一対の収納室Ａ，Ａを並べて凹設した皿形態の容器本体２と、前記各収納室を閉塞して前記容器本体上に固着されたシート状の蓋板３とを備え、前記各収納室間のフランジ部４の両側部位に於いて折り曲げ可能に構成するとともに、前記フランジ部４に前記各収納室にそれぞれ基端部を連通した一対の注出溝９，９を凹設し、且つ、前記蓋板の前記各注出溝の先端部を被覆する部分を非シール部としてその部分の切り起こしを可能に構成してなり、前記各注出溝内に、各稜線ａが前記各折り曲げ部位に位置する山形の遮蔽壁10を、前記蓋板と隙間をあけてそれぞれ設けたことを特徴とする簡易容器。
【請求項２】
前記各注出溝９が、前記フランジ部４の端部に於いて前記各折り曲げ部位と平行する縦溝部9aと、該縦溝部9aの基端部より収納室Ａと連通する横溝部9bで構成してなる請求項１記載の簡易容器。
【請求項３】
前記非シール部の両側に設けた薄肉破断線ｂで画成される切り起こし部11を設けて前記非シール部を切り起こし可能に構成するとともに、その先端を指掛け部11a として容器本体２縁部より突設してなる請求項１記載の簡易容器。
【請求項４】
前記切り起こし部11の中央に分離薄肉破断線ｃを設けて、前記各注出溝を選択的に開口可能に構成した請求項３に記載の簡易容器。
【請求項５】
前記各収納室の底壁６を互いに中央に傾斜上昇する対向する傾斜面とした請求項１記載の簡易容器。
【請求項６】
前記各稜線ａを円弧状に凹ませて構成してなる請求項１記載の簡易容器。
【発明の詳細な説明】
【技術分野】
【０００１】
本発明は簡易容器に関する。
【背景技術】
【０００２】
簡易容器として、二室を備えた皿状の容器本体にシート状の蓋材をシールした形態で、各室に収納された収納物を容器本体を折り曲げて蓋材の一部を除去することにより注出する如く構成したものが提案されている。（特許文献１参照）
【０００３】
従来のこの種の容器は、容器本体が外側に折り曲げ可能であり、互いに押圧可能になるように二室に分割され、また、蓋材は、容器本体の折り曲げ部上で、一部非シール部を有し、該非シール部内に開封開始用のスリット線を設け、両端のスリット線間隔が二室を分割するシール幅間隔より大きく設けてある。従って、スリット線の部分から蓋材の一部を切断除去すれば、容器本体の各室の一部が開口し、容器本体を折り曲げることにより、各室の収納液が注出される如く構成している。
【特許文献１】実開昭６４−２６２７９号公報
【発明の開示】
【発明が解決しようとする課題】
【０００４】
上記した従来の容器では、蓋材のスリット線で画成された部分を切断除去し、折り畳んだ両側を押圧して収納物を注出するため、液が暴出する虞れがある。本発明はこの様な点に鑑みてなされたもので、収納物の注出に当たりその暴出を防止でき、しかも容器の折り曲げに時に注出溝の歪み，閉塞を極力防止できて円滑な収納物の注出を行え、また、取り扱いも極めて便利な容器を提案するものである。
【課題を解決するための手段】
【０００５】
第１の手段として、上端開口の一対の収納室Ａ，Ａを並べて凹設した皿形態の容器本体２と、前記各収納室を閉塞して前記容器本体上に固着されたシート状の蓋板３とを備え、前記各収納室間のフランジ部４の両側部位に於いて折り曲げ可能に構成するとともに、前記フランジ部４に前記各収納室にそれぞれ基端部を連通した一対の注出溝９，９を凹設し、且つ、前記蓋板の前記各注出溝の先端部を被覆する部分を非シール部としてその部分の切り起こしを可能に構成してなり、前記各注出溝内に、各稜線ａが前記各折り曲げ部位に位置する山形の遮蔽壁10を、前記蓋板と隙間をあけてそれぞれ設けたことを特徴とする。
【０００６】
第２の手段として、前記第１の手段に於いて、前記各注出溝９が、前記フランジ部４の端部に於いて前記各折り曲げ部位と平行する縦溝部9aと、該縦溝部9aの基端部より収納室Ａと連通する横溝部9bで構成した。
【０００７】
第３の手段として、前記第１の手段に於いて、前記非シー部の両側に設けた薄肉破断線ｂで画成される切り起こし部11を設けて前記非シール部を切り起こし可能に構成するとともに、その先端を指掛け部11a として容器本体２縁部より突設した。
【０００８】
第４の手段として、前記第３の手段に於いて、前記切り起こし部11の中央に分離薄肉破断線ｃを設けて、前記各注出溝を選択的に開口可能に構成した。
【０００９】
第５の手段として、前記第１の手段に於いて、前記各収納室の底壁６を互いに中央に傾斜上昇する対向する傾斜面とした。
【００１０】
第６の手段として、前記第１の手段に於いて、前記各稜線ａを円弧状に凹ませて構成した。
【発明の効果】
【００１１】
本発明簡易容器は、折り畳んで持ち易い状態で二種類の収納物を注出することができ、その取り扱いも、容器を折り畳んだ後切り起こし部11を切り起こして、各注出溝９を開口し、両側から押圧するという極めて簡単を操作で行えて取り扱い上極めて便利である。また、各注出溝９内に折り曲げ部位に位置する稜線ａを備えた山形の遮蔽壁10を設けているため、容器を折り曲げる際に注出溝９に不都合な歪み，閉塞等が生じるのを防止でき、また、注出溝９基端部に狭部を形成できるため、圧搾して注出された液が暴発する等の不都合を防止できるものである。
【００１２】
前記非シール部の両側に設けた薄肉破断線ｂで画成される切り起こし部11を設けて前記非シール部を切り起こし可能に構成するとともに、その先端を指掛け部11a として容器本体２縁部より突設したものにあっては、注出溝の開封がより容易に行える利点がある。
【００１３】
前記切り起こし部11の中央に分離薄肉破断線ｃを設けて、前記各注出溝を選択的に開口可能に構成したものにあっては、必要に応じて一方或いは他方の収納物の単一の注出が可能であり、また、双方の注出も可能であるため、種々の種類の収納物に対応できる。
【００１４】
前記各収納室の底壁６を互いに中央に傾斜上昇する対向する傾斜面とした場合には、各収納室の容積をできるだけ大きくしても、その圧搾等の操作が行い易く、取り扱いが便利となる。
【００１５】
第６の手段として、前記稜線ａを円弧状に凹ませて構成した場合には、折り曲げ時の注出溝９の変形等をより良好に防止できる。
【発明を実施するための最良の形態】
【００１６】
以下、本発明の実施例の形態を図面を参照して説明する。
【００１７】
図１は本発明簡易容器の一例を示し、該簡易容器１は、容器本体２と、蓋板３とで構成している。
【００１８】
容器本体２は、上端開口の一対の収納室Ａ，Ａを並べて凹設した皿形態をなしており、合成樹脂のシート成形等により形成することができる。また、容器本体２は、各収納室Ａ，Ａ間のフランジ部４両側部位に於いて折り曲げ可能に構成している。折り曲げ可能に構成する具体的構成としては、例えば前記フランジ部４両側所定位置に凹溝５を形成する等が採用でき、この折り曲げ可能な構成は、容器本体２自体の折り曲げだけでなく、蓋板３を固着した状態での折り曲げを目的とする。また、容器本体２は、その収納容積をできるだけ大きくするとともに、折り曲げ状態での安定性を付与するために、各収納室Ａ，Ａの底壁６を互いに中央に傾斜上昇する対向する傾斜面としている。更に、各収納室には、折り畳んだ際に互いに係合して折り畳み状態を安定的に維持する係合突部７及び係合凹部８を形成している。
【００１９】
また、各収納室Ａ，Ａ間のフランジ部４には基端部を各収納室にそれぞれ連通する一対の注出溝９，９を凹設している。各注出溝９は各収納室内の収納物を取り出すためのもので、左右対称形状に設けられることが好ましいが、各収納室の大きさの相違等により、若干の相違は選択できる。図示例では、前記フランジ部４の端部に於いて前記折り曲げ部位と平行する縦溝部9aと、該縦溝部9aの基端部より収納室Ａと連通する横溝部9bとで構成している。
【００２０】
また、本発明では、容器折り曲げ時の各注出溝９の変形防止、或いは収納液の暴出防止を図るために、各注出溝９内に遮蔽壁10をそれぞれ設けている。この遮蔽壁10は山形をなすとともに、その稜線ａが前記各折り曲げ部位に位置し、また、蓋板との間に隙間をあける如く構成している。この様な遮蔽壁10を設けることにより、容器折り曲げ時に注出溝９の開口幅を出来るだけ変形させず、しかも、注出溝は稜線ａ上方の開口部分を狭く形成して液が暴出するのを防止できる。
【００２１】
蓋板３は、合成樹脂製のシート材を用いて形成でき、容器本体２の上面に融着，接着等の適宜固着手段により固着している。また、各注出溝９の先端部を被覆する部分をシール部として、その部分の切り起こしを可能に構成している。図示例では、非シール部の両側に薄肉破断線ｂを設けるとともに、各薄肉破断線ｂで画成される切り起こし部11の先端を指掛け部11a として、容器本体２の縁部より突設している。また、切り起こし部11の中央に分離薄肉破断線ｃを設けて、各注出溝９を選択的に開口できる如く構成している。
【００２２】
上記の如く構成した簡易容器１を使用する場合について説明する。使用に当たっては、例えば各折り曲げ部位に於いて容器１を折り曲げ、係合突部７を係合凹部８に嵌合させて折り曲げ状態を維持させ、次いで、指掛け部11a を摘んで引き上げることにより各薄肉破断線ｂ部分を切断して切り起こし部11を切り起こして、図３に示す如く、各注出溝９，９の端部を開口する。次いで折り畳んだ容器の両側を押圧することにより各収納室Ａ，Ａ内の液を図４に示す如く同時に注出することができる。また、必要に応じて、図５に示す如く、分離薄肉破断線ｃ部分から切り起こし部の半分を切り起こして、一方の収納液を注出することも可能である。
【図面の簡単な説明】
【００２３】
【図１】本発明簡易容器の分解斜視図である。（実施例１）
【図２】本発明簡易に於ける注出溝部分の要部拡大斜視図である。（実施例１）
【図３】本発明簡易容器の使用時の斜視図である。（実施例１）
【図４】本発明簡易容器の使用時の斜視図である。（実施例１）
【図５】本発明簡易容器の使用時の斜視図である。（実施例１）
【符号の説明】
【００２４】
２…容器本体，３…蓋板，４…フランジ部，６…収納室底壁，９…注出溝，
9a…縦溝部，9b…横溝部，10…遮蔽壁，11…切り起こし部，11a …指掛け部，
Ａ…収納室，ａ…稜線，ｂ…薄肉破断線，ｃ…分離薄肉破断線
【図１】
2005335805.tif 000003
【図２】
2005335805.tif 000004
【図３】
2005335805.tif 000005
【図４】
2005335805.tif 000006
【図５】
2005335805.tif 000007